【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
コンバータ光学系が装着可能な撮影光学系と、前記コンバータ光学系の光出射側に配置された測距手段と、前記コンバータ光学系の装着に応じて前記測距手段の測定値を補正する測定値補正手段を有することを特徴とする撮像装置。
【請求項２】
前記コンバータ光学系が装着されていないときの前記測距手段への入射光の前記撮影光学系の光軸からの高さをｈ、前記コンバータ光学系が装着されているときの前記測距手段への入射光の前記撮影光学系の光軸からの高さをｈ´とし、ｈ´／ｈを第１の補正係数として、
前記撮影光学系に対して前記コンバータ光学系が装着されている場合、前記測定値補正手段は、前記測距手段の測定値に対して前記第１の補正係数の逆数を乗じた補正値を出力することを特徴とする請求項１に記載の撮像装置。
【請求項３】
コンバータ光学系が装着可能な撮影光学系と、
前記撮影光学系により形成される画像のコントラストに基づいて、フォーカシングに際して移動する前記撮影光学系の少なくとも一部のレンズの移動量を決定するフォーカス制御手段と、
前記撮影光学系に対して前記コンバータ光学系が装着されている場合に、前記フォーカス制御手段が出力する前記移動量を補正する移動量補正手段を有することを特徴とする撮像装置。
【請求項４】
前記撮影光学系の焦点距離をｆ、前記コンバータ光学系と前記撮影光学系の合成光学系の焦点距離をｆ´とし、（ｆ´／ｆ）２を第２の補正係数として、
前記撮影光学系に対して前記コンバータ光学系が装着されている場合、前記移動量補正手段は、前記フォーカス制御手段が出力する前記移動量に対して前記第２の補正係数の逆数を乗じた補正値を出力することを特徴とする請求項３に記載の撮像装置。
【請求項５】
コンバータ光学系が装着可能な撮影光学系と、
前記コンバータ光学系の光出射側に配置された測距手段と、
前記コンバータ光学系の装着に応じて前記測距手段の測定値を補正する測定値補正手段と、
前記撮影光学系により形成される画像のコントラストに基づいて、フォーカシングに際して移動する前記撮影光学系の少なくとも一部のレンズの移動量を決定するフォーカス制御手段と、
前記撮影光学系に対して前記コンバータ光学系が装着されている場合に、前記フォーカス制御手段が出力する前記移動量を補正する移動量補正手段を有することを特徴とする撮像装置。
【請求項６】
前記コンバータ光学系が装着されていないときの前記測距手段への入射光の前記撮影光学系の光軸からの高さをｈ、前記コンバータ光学系が装着されているときの前記測距手段への入射光の前記撮影光学系の光軸からの高さをｈ´とし、ｈ´／ｈを第１の補正係数として、
前記撮影光学系に対して前記コンバータ光学系が装着されている場合、前記測定値補正手段は、前記測距手段の測定値に対して前記第１の補正係数の逆数を乗じた補正値を出力することを特徴とする請求項５に記載の撮像装置。
【請求項７】
前記撮影光学系の焦点距離をｆ、前記コンバータ光学系と前記撮影光学系の合成光学系の焦点距離をｆ´とし、（ｆ´／ｆ）２を第２の補正係数として、
前記撮影光学系に対して前記コンバータ光学系が装着されている場合、前記移動量補正手段は、前記フォーカス制御手段が出力する前記移動量に対して前記第２の補正係数の逆数を乗じた補正値を出力することを特徴とする請求項５または６に記載の撮像装置。
【請求項８】
前記コンバータ光学系が装着されていないときの前記測距手段への入射光の前記撮影光学系の光軸からの高さをｈ、前記コンバータ光学系が装着されているときの前記測距手段への入射光の前記撮影光学系の光軸からの高さをｈ´、前記撮影光学系の焦点距離をｆ、前記コンバータ光学系と前記撮影光学系の合成光学系の焦点距離をｆ´として、
ｍ＝（ｆ´／ｆ）／（ｈ´／ｈ）としたとき、
０．９＜ｍ＜１．１
なる条件を満足することを特徴とする請求項５乃至７のいずれか１項に記載の撮像装置。 
【請求項９】
撮影光学系に対してコンバータ光学系が装着されているか否かを判別する判別ステップと、
前記コンバータ光学系の光出射側に配置された測距手段の測定値に基づいて前記撮影光学系の少なくとも一部のレンズを移動させるフォーカスステップを含み、
前記判別ステップにおいて前記撮影光学系に対して前記コンバータ光学系が装着されていると判別されたときは、前記フォーカスステップにおいて、前記測定値を補正した補正値に基づいて前記撮影光学系の少なくとも一部のレンズを移動させることを特徴とする撮像装置の制御方法。
【請求項１０】
撮影光学系に対してコンバータ光学系が装着されているか否かを判別する判別ステップと、
前記撮影光学系により形成される画像のコントラストに基づいて、前記撮影光学系の少なくとも一部のレンズの移動量を決定するフォーカスステップを含み、
前記判別ステップにおいて前記撮影光学系に対して前記コンバータ光学系が装着されていると判別されたときは、前記フォーカスステップにおいて、前記移動量を補正することを特徴とする撮像装置の制御方法。
【請求項１１】
コンバータ光学系が装着可能な撮影光学系を制御するためのプログラムであって、
撮影光学系に対してコンバータ光学系が装着されているか否かを判別する判別ステップと、
前記コンバータ光学系の光出射側に配置された測距手段の測定値に基づいて前記撮影光学系の少なくとも一部のレンズを移動させるフォーカスステップを含み、
前記判別ステップにおいて前記撮影光学系に対して前記コンバータ光学系が装着されていると判別されたときは、前記フォーカスステップにおいて、前記測定値を補正した補正値に基づいて前記撮影光学系の少なくとも一部のレンズを移動させることを特徴とするプログラム。
【請求項１２】
コンバータ光学系が装着可能な撮影光学系を制御するためのプログラムであって、
撮影光学系に対してコンバータ光学系が装着されているか否かを判別する判別ステップと、
前記撮影光学系により形成される画像のコントラストに基づいて、前記撮影光学系の少なくとも一部のレンズの移動量を決定するフォーカスステップを含み、
前記判別ステップにおいて前記撮影光学系に対して前記コンバータ光学系が装着されていると判別されたときは、前記フォーカスステップにおいて、前記移動量を補正することを特徴とするプログラム。
【手続補正２】
【補正対象書類名】明細書
【補正対象項目名】０００９
【補正方法】変更
【補正の内容】
【０００９】
上記目的を達成するために、本発明に係る撮像装置は、コンバータ光学系が装着可能な撮影光学系と、前記コンバータ光学系の光出射側に配置された測距手段と、前記コンバータ光学系の装着に応じて前記測距手段の測定値を補正する測定値補正手段を有することを特徴とする。
【手続補正３】
【補正対象書類名】明細書
【補正対象項目名】００１０
【補正方法】変更
【補正の内容】
【００１０】
また、本発明に係る別の撮像装置は、コンバータ光学系が装着可能な撮影光学系と、前記撮影光学系により形成される画像のコントラストに基づいて、フォーカシングに際して移動する前記撮影光学系の少なくとも一部のレンズの移動量を決定するフォーカス制御手段と、前記撮影光学系に対して前記コンバータ光学系が装着されている場合に、前記フォーカス制御手段が出力する前記移動量を補正する移動量補正手段を有することを特徴とする。
【手続補正４】
【補正対象書類名】明細書
【補正対象項目名】００１１
【補正方法】変更
【補正の内容】
【００１１】
また、本発明に係る別の撮像装置は、コンバータ光学系が装着可能な撮影光学系と、前記コンバータ光学系の光出射側に配置された測距手段と、前記コンバータ光学系の装着に応じて前記測距手段の測定値を補正する測定値補正手段と、前記撮影光学系により形成される画像のコントラストに基づいて、フォーカシングに際して移動する前記撮影光学系の少なくとも一部のレンズの移動量を決定するフォーカス制御手段と、前記撮影光学系に対して前記コンバータ光学系が装着されている場合に、前記フォーカス制御手段が出力する前記移動量を補正する移動量補正手段を有することを特徴とする。
【手続補正５】
【補正対象書類名】明細書
【補正対象項目名】００１２
【補正方法】変更
【補正の内容】
【００１２】
また、本発明に係る撮像装置の制御方法は、撮影光学系に対してコンバータ光学系が装着されているか否かを判別する判別ステップと、前記コンバータ光学系の光出射側に配置された測距手段の測定値に基づいて前記撮影光学系の少なくとも一部のレンズを移動させるフォーカスステップを含み、前記判別ステップにおいて前記撮影光学系に対して前記コンバータ光学系が装着されていると判別されたときは、前記フォーカスステップにおいて、前記測定値を補正した補正値に基づいて前記撮影光学系の少なくとも一部のレンズを移動させることを特徴とする。
また、本発明に係る別の撮像装置の制御方法は、撮影光学系に対してコンバータ光学系が装着されているか否かを判別する判別ステップと、前記撮影光学系により形成される画像のコントラストに基づいて、前記撮影光学系の少なくとも一部のレンズの移動量を決定するフォーカスステップを含み、前記判別ステップにおいて前記撮影光学系に対して前記コンバータ光学系が装着されていると判別されたときは、前記フォーカスステップにおいて、前記移動量を補正することを特徴とする。
【手続補正６】
【補正対象書類名】明細書
【補正対象項目名】００１３
【補正方法】変更
【補正の内容】
【００１３】
また、本発明に係るプログラムは、コンバータ光学系が装着可能な撮影光学系を制御するためのプログラムであって、撮影光学系に対してコンバータ光学系が装着されているか否かを判別する判別ステップと、前記コンバータ光学系の光出射側に配置された測距手段の測定値に基づいて前記撮影光学系の少なくとも一部のレンズを移動させるフォーカスステップを含み、前記判別ステップにおいて前記撮影光学系に対して前記コンバータ光学系が装着されていると判別されたときは、前記フォーカスステップにおいて、前記測定値を補正した補正値に基づいて前記撮影光学系の少なくとも一部のレンズを移動させることを特徴とする。
また、本発明に係る別のプログラムは、コンバータ光学系が装着可能な撮影光学系を制御するためのプログラムであって、撮影光学系に対してコンバータ光学系が装着されているか否かを判別する判別ステップと、前記撮影光学系により形成される画像のコントラストに基づいて、前記撮影光学系の少なくとも一部のレンズの移動量を決定するフォーカスステップを含み、前記判別ステップにおいて前記撮影光学系に対して前記コンバータ光学系が装着されていると判別されたときは、前記フォーカスステップにおいて、前記移動量を補正することを特徴とする。